(57)【要約】      （修正有）【課題】製品の内部で遮光、若しくは外容器内側に遮光物を施し、尚且つ発光に支障が無い構造を提供する。【解決手段】化学発光の装置に於いて、ガラスアンプルなどの内容器３に、金属膜・塗装膜２を形成する方法及び、着色が施してある内容器を使用する方法。または、ガラスアンプルなどの内容器と、周囲の透過性の容器の間に遮光を目的とした遮蔽物を設け外部からの光りによる、発光体の劣化を防ぐ構造をもった化学発光体。若しくは、化学発光体の装置に於いて、プラスティック製などの外容器１内側に遮光などを目的とした金属膜・塗装膜を及び、遮蔽膜2を形成する方法。【選択図】図１
2010092591.tif 000002
【特許請求の範囲】
【請求項１】
化学発光の装置に於いて、ガラスアンプルなどの内容器に、金属膜・塗装膜・遮蔽膜を形成する方法
及び、着色が施してある内容器を使用する方法。
または、ガラスアンプルなどの内容器と、周囲の透過性の容器の間に遮光を目的とした遮蔽物を設け
外部からの光りによる、発光体の劣化を防ぐ構造をもった化学発光体。
【請求項２】
化学発光体の装置に於いて、プラスティック製などの外容器内側に、遮光などを目的とした金属膜・塗装膜及び、遮蔽膜を形成する方法。
【発明の詳細な説明】
【技術分野】
【０００１】
本発明は、耐光性を備えた化学発光体に関するものである。
【背景技術】
【０００２】
夜間の釣り等に用いられるウキや、竿先に装着する目印の発光体や
コンサート・ライブなどに使われるペンライト、災害時に使用される安全ライトなどの
化学発光を用いた発光製品が多く使用されるようになった。
【０００３】
これらの化学発光体は、シュウ酸誘導体などの反応物質と励起する蛍光物質を混同させた物と
過酸化水素と触媒を主原料にした物から構成され、主な構造として
どちらかをガラスアンプルなどの内容器に入れ、どちらかを、透過性溶器内部に収納して使用されている。
【０００４】
発光させる場合は、透過性外溶器を押したり、曲げるなどしてガラスアンプルなどの内容器を破壊、破断させることで
ガラスアンプルなどの内容器に封入されていた物と、透過性溶器内部に満たされていた物質が混合することで
化学発光をおこして発光を始めるように造られている。
【非特許文献１】「株式会社  ルミカ  ２００８製品カタログ」
【発明の開示】
【発明が解決しようとする課題】
【０００５】
基本的な構造は、光を透過することや
ガラスアンプルなどの内容器を粉砕、破断する必要上柔軟性のあるプラスティック製などの外容器に
ガラスアンプルなどの内容器が入れられた構造である。
【０００６】
一方、使用される化学薬品の中には、外部から来る光、特に紫外線の為に、成分が分解し
本来の役割を維持しえない物も含んでいる。例えば、蛍光物質などは日光などの光により
成分が分解しやすく、保存には遮光の為に製品全体をアルミフォイルや金属
または、紙製の不透明な容器に収容し、保管する必要があった。
【０００７】
このために、展示販売を試みる時や、壁などに備え付けて緊急時に備える場合
製品本体の外見や状態が、直接視認できないことは、従来より欠点となっていた。
【課題を解決するための手段】
【０００８】
製品の内部で遮光、若しくは外容器内側に遮光物を施し、尚且つ発光に支障が無い構造とするために、次のような考案をした。
【０００９】
ガラスアンプルなど内容器に、金属塗装膜または、塗装膜、遮蔽膜を形成し、遮光する構造とした。
実験では、アルミを真空蒸着したメッキ、塗装により、遮光用の膜を施した物を使用。
内容器には、蛍光物質、この場合は、蛍光物質を含む溶液を、メッキ、または塗装した内容器（ガラスアンプル）に入れ
封入（密封状態）にした後、過酸化水素と触媒を主原料にした物を内容器と外容器間に注入、挿入し加工する。
【００１０】
蛍光物質を混同させた物と、過酸化水素と触媒を主原料にした物を、内溶器に入れて、特に、保存に留意する製品もあるが
このような場合にも、両方の内容器に遮光のための金属塗装膜、塗装膜、遮蔽膜または、遮蔽物を設けることもある。
【００１１】
ガラスアンプルなどの内容器と、外容器の間に、遮光の為の壁（遮蔽物）を設けた。
この場合、発光したときに、不透明な物体により、光りが外部に出るのを阻害されるが
内容器の寸法を小さくする、または、内容器を壁（遮蔽物）に密着させることで、実用上許容される
発光が得られることが解った。
【００１２】
この壁（遮蔽物）に、アルミなどを用いると、発光に反射光が出て演出効果，視認確認が高まる利点もみられた。
【００１３】
また、遮蔽物に筒状の物を使用した際、内容器に収容されていた蛍光物質は、円筒状の開放された両端または
片方の口から流出して、過酸化水素と触媒を主原料にした物と混ざる物であるが、更に混合を確実にする目的で
曲げたり、押したりした際に、屈折し開放するようなスリットを設ける事や、内容器の破片で破れる薄い膜状の形にすることで
より混合しやすくなる結果が得られた。
【００１４】
遮蔽物を施した製品で、不透明な容器に入れず、日光に晒し、数日間放置し、発光性能を確認したところ、発光性能も衰えることなく
実用上許容される使用が可能であった。従来品では、蛍光物質の成分が分解されるため、成し得なかった事である。
【００１５】
ガラスアンプルで、金属塗装膜、塗装膜、遮蔽膜を施した内容器を使用した場合、製品使用前であるか、製品使用済みであるか
視認により判断可能であることが実証され、非常時前に視認することが容易になるという利点もみられた。
【００１６】
内容器を遮光することにより、使用前に、発光色を解らなくすることも可能となり、下記に記すように
ゲーム性の用件も兼ね備える結果となった。
【００１７】
外容器内側に遮光を施す場合、外容器にプラスティック製品を使用することが主流であるが
その場合、外容器内側に、金属膜、塗装膜、遮蔽膜及び、遮蔽物を施す方法が、場合によっては安価で済むことが解った。
【発明の効果】
【００１８】
上述したように、本発明の化学発光体は、内容器または外容器内側に
金属膜、塗装膜、遮蔽膜及び、遮蔽物を施すまたは、遮蔽物を用いることにより
蛍光物質が分解されなくなり、展示、販売、保管が容易になり、コストの削減につながり
使用者の方々には、保管がし易く、使用前か、使用後かの視認効果が格段に向上するものである。
【００１９】
膜の材質によって、従来品よりも、演出効果、視認効果が向上することが判明し
使用者の方に、安全性、利便性の良い、製品を提供出来る。
【００２０】
また、使用前に発光色を判別できなくする事も可能であるため
ゲーム性を持った商品に活用出来る。
【００２１】
外容器内側に遮光性を持たせた場合、前述したように場合によっては安価になり、コスト削減につながり、
より安価な、製品を市場に投入出来る。
【発明を実施するための最良の形態】
【００２２】
以下、本発明の実施の形態を、図１〜図５に基づいて説明する。
【００２３】
図中の数字表記については、１は外容器であり、外容器内部に挿入される
蛍光物質を司る物、過酸化水素と触媒を主原料にした物４を、封入しうるもの全般を指す。
【００２４】
２は、外容器１、内容器３に、金属膜、塗装膜、遮蔽膜を施した物である。
また、内容器３その物に、着色されているものも含む。この図では、内容器３には、蛍光物質を封入することを前提に記載しているが
過酸化水素と触媒を主原料にした物４を封入する場合もあることを付記しておく。
【００２５】
３は、内容器本体であり、この物に金属膜、塗装膜、遮蔽膜２を施す。
【００２６】
４は、過酸化水素と触媒を主原料にした物である。
【００２７】
５は第二内容器である。物によっては、第三容器、第四容器と増す場合も含む。
【００２８】
６は、遮蔽物である。この図の場合は、円筒状の物で記載しているが、内容器３を覆う遮光物を指す。
【００２９】
７は、上記遮蔽物６に、スリックを施したものである。前述した様に、屈折し開放するようなスリットを設ける事や
内容器の破片で破れる薄い膜状の形にすることで、より混合しやすくなる結果が得られる。
【００３０】
図−１の形状は、市販されている物のオーソドックスな形態の物で、内容器３に、金属膜、塗装膜、遮蔽膜及び着色された物２を
過酸化水素と触媒を主原料にした物４を注入し覆い、外容器１に封入した物の、部分断面図である。
【００３１】
この形態にすることにより、通常市場に投入されている製品の
形態を崩すことも無く、さらに、内容器３を遮光しているため、日光、特に紫外線に強く
従来品のように、製品全体を、不透明な容器に収容する必要は無くなることで、軽包装で済み
尚且つ、開封後の欠点であった、直射日光に耐えうる構造の製品となる。
【００３２】
また、製品使用時には、内容器３が破壊、破断されることで、発光する訳であるが
破壊、破断に伴い、内容器３に施した、金属膜、塗装膜、遮蔽膜及び着色されたもの２が
そのまま破壊・破断片となり、外容器１内部に沈殿若しくは、飛散することにより
使用者の方々が、使用前であるか、使用済製品であるかの識別が格段に容易となった。
【００３３】
図−２は、図−１中では、金属膜、塗装膜、遮蔽膜及び着色された物２で覆われた
内容器３の外側にある、過酸化水素と触媒を主原料にした物４を、第２内容器５に封入し
外容器１で封入した物の部分断面図である。
【００３４】
この形状にすることにより、遮光も然ることながら、過酸化水素と触媒４の成分も保護し
尚且つ、蛍光成分の入った内容器３は、金属膜、塗装膜、遮蔽膜及び着色された物２で封入されているため
更に、製品の保存上で効果が得られる。
【００３５】
図−３−aは、金属膜、塗装膜、遮蔽膜及び着色された物２が施された内容器３を、筒状の遮蔽物６で覆い
過酸化水素と触媒を主原料にした物４を注入し、外容器１で封入した物の部分断面図である。
【００３６】
前述した様に、この形状にすることにより、遮光性はもちろんのこと、内容器３に金属膜、塗装膜、遮蔽膜及び着色された物２で
蛍光成分を遮光し、更に遮蔽物６で覆うことにより、遮光性の向上はもちろんのこと、蛍光物質を完全に隠す状態になるため
製品使用前に、何色に発光するのか識別不可能となり
保存の向上と共に、ゲーム性、遊戯性を兼ね備えた製品などへの、技術の応用が可能となる。
【００３７】
図−３−bは、図−３−aの断面図である。
【００３８】
図−４−aは、金属膜、塗装膜、遮蔽膜、遮蔽膜及び着色された物２が施された内容器３を、スリットの設けた筒状の遮蔽物７で覆い
過酸化水素と触媒４を注入し、外容器１で封入した物の部分断面図である。
【００３９】
前述した様に、スリットを設けた筒状の遮蔽物７を用いることにより、蛍光物質と、過酸化水素と触媒４を
混合し易くすることが可能となる構造である。
【００４０】
この構造の場合、製品使用時に、外容器１を押したり、折り曲げたりする訳であるが、その際の負荷により
スリックを設けた筒状の遮蔽物７が、屈折開放し、容易に過酸化水素と触媒を主原料にした物４と混合し得る。
【００４１】
こちらも、前述した様に、遮光性はもちろんのこと
内容器３に金属膜、塗装膜、遮蔽膜及び着色された物２で蛍光成分を遮光し
更にスリットを設けた筒状の遮蔽物７で覆うことにより、遮光性の向上はもちろんのこと
蛍光物質を完全に隠す状態になるため製品使用前に、何色に発光するのか識別不可能となり
保存の向上と共に、ゲーム性、遊戯性を兼ね備えた製品などに、技術の応用が可能となる。
【００４２】
前述したように、この場合、発光したときに、不透明な物体により、光りが外部に出るのを阻害されるが
内容器の寸法を小さくする、または、内容器を壁（遮蔽物）に密着させることで、実用上許容される
発光が得られることが解った。
【００４３】
図−５は、外容器１の内側に、金属膜、塗装膜、遮蔽膜２を施し
内容器３を、金属膜、塗装膜、遮蔽膜及び着色された物２に、過酸化水素と触媒を主原料にした物４を注入し
外容器１で封入した物の、部分断面図である。
また、内容器３に施されている金属膜、塗装膜、遮蔽膜及び着色された物２は
金属膜、塗装膜を施さない場合も存在することを付記する。
【００４４】
この形状にした場合の例であるが、外容器１がプラスティクのような石油製品であり
内容器３がガラスアンプルなどで構成されている場合
プラスティック製の外容器１に金属膜、塗装膜、遮蔽膜を施す方が、容易であるため
製造時コストを抑えることが出来る。
【００４５】
図１〜５では、内容器３の内容物に蛍光物質を、それを覆う過酸化水素と触媒４と記載しているが、その逆も範囲とする。
【００４６】
また、図３〜４では、内容器３に施されている金属膜、塗装膜、遮蔽膜及び着色された物２は
金属膜、塗装膜、遮蔽膜を施さない場合も存在することを付記する。
【００４７】
これら、対光性を施した製品で、、日光に晒し、数日間放置し、発光性能を確認したところ、発光性能も衰えることなく
実用上許容される使用が可能であった。従来品では、蛍光物質の成分が分解されるため、成し得なかった事である。
【産業上の利用可能性】
【００４８】
上述のような方法で製造された化学発光体は、遮光された包材を使用する必要がなく
安価な包材が使用可能であり、また、そのまま現物を見せて販売出来るので、購買力が増す事や
目的の形状、寸法、機能の商品を選ぶのに便利であり、有利する人に親切な改善がなされる。
【００４９】
また、この発光体は、使用するまでには、発光色が特定できないため、意外性を用いた
ゲームやクジ引きの道具に使用することもでき、新しい分野への用途が期待出来る。
【００５０】
さらに、製品を、遮光の為の包装資材に収容する必要が無いため
場所を取らず、家庭、車、船舶、などの非常安全灯として、保管が容易になると云う利便性も備える。
【図面の簡単な説明】
【００５１】
【図１】耐光性化学発光体、内容器に金属膜、塗装膜、遮蔽膜を施した方法を示した説明図。
【図２】耐光性化学発光体、蛍光物質入り内容器に金属膜、塗装膜、遮蔽膜を施し過酸化水素と触媒を溶剤に溶かした物を第２内容器に封入した方法を示した説明図。
【図３−ａ】耐光性化学発光体、蛍光物質入り内容器の外周に、筒状の遮蔽物を施した方法を示した説明図。
【図３−ｂ】図３‐１の断面図
【図４−ａ】耐光性化学発光体、蛍光物質入り内容器の外周に、筒状の遮蔽物にスリックを施した方法を示した説明図。
【図４−ｂ】図４‐１の断面図
【図５】耐光性化学発光体、外容器内側に金属膜、塗装膜、遮蔽膜を施した方法を示した説明図。
【符号の説明】
【００５２】
１    外容器
２    金属膜、塗装膜、遮蔽膜及び着色された物
３    内容器
４    過酸化水素と触媒を主原料にした物
５    第２内容器
６    筒状の遮蔽物
７    筒状の遮蔽物にスリットを施した物
【図１】
2010092591.tif 000003
【図２】
2010092591.tif 000004
【図３−ａ】
2010092591.tif 000005
【図３−ｂ】
2010092591.tif 000006
【図４−ａ】
2010092591.tif 000007
【図４−ｂ】
2010092591.tif 000008
【図５】
2010092591.tif 000009